【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
ダウンリンク（ＤＬ）システム帯域幅から区分されるＤＬ狭帯域領域のセットを決定することと、
アップリンク（ＵＬ）システム帯域幅から区分されるＵＬ狭帯域領域のセットを決定することと、ここにおいて、前記ＤＬシステム帯域幅が前記ＵＬシステム帯域幅とは異なる、
ＤＬ狭帯域領域の前記セットとＵＬ狭帯域領域の前記セットとの間のマッピングを決定することと、
前記マッピング中に含まれる前記ＤＬ狭帯域領域または前記ＵＬ狭帯域領域のうちの少なくとも１つを使用して基地局（ＢＳ）と通信することと
を備える、方法。
【請求項２】
ＤＬ狭帯域領域の前記セットとＵＬ狭帯域領域の前記セットとが、前記ＤＬシステム帯域幅および前記ＵＬシステム帯域幅の最小値に少なくとも部分的に基づいて区分される、請求項１に記載の方法。
【請求項３】
ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数とは異なる、請求項１に記載の方法。
【請求項４】
ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数と同じである、請求項１に記載の方法。
【請求項５】
前記マッピングが、
複数のＤＬ狭帯域領域への少なくとも１つの単一のＵＬ狭帯域領域のマッピング、または
複数のＵＬ狭帯域領域への少なくとも１つの単一のＤＬ狭帯域領域のマッピング
のうちの少なくとも１つを備える、請求項１に記載の方法。
【請求項６】
前記マッピングが複数のＵＥに共通であり、
前記方法が、ブロードキャストメッセージまたは前記ＵＥに専用のメッセージのうちの１つ中で前記マッピングの指示を受信することをさらに備える、
請求項５に記載の方法。
【請求項７】
基地局（ＢＳ）によるワイヤレス通信のための方法であって、
ダウンリンク（ＤＬ）システム帯域幅から区分されるＤＬ狭帯域領域のセットを決定することと、
アップリンク（ＵＬ）システム帯域幅から区分されるＵＬ狭帯域領域のセットを決定することと、ここにおいて、前記ＤＬシステム帯域幅が前記ＵＬシステム帯域幅とは異なる、
ＤＬ狭帯域領域の前記セットとＵＬ狭帯域領域の前記セットとの間のマッピングを決定することと、
前記マッピング中に含まれる前記ＤＬ狭帯域領域または前記ＵＬ狭帯域領域のうちの少なくとも１つを使用して少なくともユーザ機器（ＵＥ）と通信することと
を備える、方法。
【請求項８】
ＤＬ狭帯域領域の前記セットとＵＬ狭帯域領域の前記セットとが、前記ＤＬシステム帯域幅および前記ＵＬシステム帯域幅の最小値に少なくとも部分的に基づいて区分される、請求項７に記載の方法。
【請求項９】
ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数とは異なる、請求項７に記載の方法。
【請求項１０】
ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数と同じである、請求項７に記載の方法。
【請求項１１】
前記マッピングが、
複数のＤＬ狭帯域領域への少なくとも１つの単一のＵＬ狭帯域領域のマッピング、または
複数のＵＬ狭帯域領域への少なくとも１つの単一のＤＬ狭帯域領域のマッピング
のうちの少なくとも１つを備える、請求項７に記載の方法。
【請求項１２】
前記マッピングが複数のＵＥに共通であり、
前記方法が、ブロードキャストメッセージまたは各ＵＥに専用のメッセージのうちの１つ中で前記マッピングの指示を与えることをさらに備える、
請求項１１に記載の方法。
【請求項１３】
前記マッピングがＵＥ固有であり、
前記方法が、前記ＵＥへのメッセージ中で前記マッピングの指示を与えることをさらに備える、
請求項１および請求項７に記載の方法。
【請求項１４】
前記ＤＬ狭帯域領域のための第１の周波数ホッピングパターンを決定することと、
前記ＵＬ狭帯域領域のための第２の周波数ホッピングパターンを決定することと
をさらに備える、請求項１および請求項７に記載の方法。
【請求項１５】
請求項１〜請求項１４のうちのいずれか一項に記載の方法を実行するように構成されたプロセッサを備える、ワイヤレス通信のための装置。
【手続補正２】
【補正対象書類名】明細書
【補正対象項目名】０１２２
【補正方法】変更
【補正の内容】
【０１２２】
[00138]  本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。従って、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
[Ｃ１]  ユーザ機器（ＵＥ）によるワイヤレス通信のための方法であって、
ダウンリンク（ＤＬ）システム帯域幅から区分されるＤＬ狭帯域領域のセットを決定することと、
アップリンク（ＵＬ）システム帯域幅から区分されるＵＬ狭帯域領域のセットを決定することと、
ＤＬ狭帯域領域の前記セットとＵＬ狭帯域領域の前記セットとの間のマッピングを決定することと、
前記マッピング中に含まれる前記ＤＬ狭帯域領域または前記ＵＬ狭帯域領域のうちの少なくとも１つを使用して基地局（ＢＳ）と通信することと
を備える、方法。
[Ｃ２]  ＤＬ狭帯域領域の前記セットとＵＬ狭帯域領域の前記セットとが、前記ＤＬシステム帯域幅および前記ＵＬシステム帯域幅の最小値に少なくとも部分的に基づいて区分される、Ｃ１に記載の方法。
[Ｃ３]  前記ＤＬシステム帯域幅が前記ＵＬシステム帯域幅とは異なる、Ｃ１に記載の方法。
[Ｃ４]  ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数とは異なる、Ｃ３に記載の方法。
[Ｃ５]  ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数と同じである、Ｃ３に記載の方法。
[Ｃ６]  前記マッピングが、
複数のＤＬ狭帯域領域への少なくとも１つの単一のＵＬ狭帯域領域のマッピング、または
複数のＵＬ狭帯域領域への少なくとも１つの単一のＤＬ狭帯域領域のマッピング
のうちの少なくとも１つを備える、Ｃ１に記載の方法。
[Ｃ７]  前記マッピングが複数のＵＥに共通であり、
前記方法が、ブロードキャストメッセージまたは前記ＵＥに専用のメッセージのうちの１つ中で前記マッピングの指示を受信することをさらに備える、
Ｃ６に記載の方法。
[Ｃ８]  前記マッピングがＵＥ固有であり、
前記方法が、前記ＵＥへのメッセージ中で前記マッピングの指示を受信することをさらに備える、
Ｃ１に記載の方法。
[Ｃ９]  前記ＤＬ狭帯域領域のための第１の周波数ホッピングパターンを決定することと、
前記ＵＬ狭帯域領域のための第２の周波数ホッピングパターンを決定することと
をさらに備える、Ｃ１に記載の方法。
[Ｃ１０]  ユーザ機器（ＵＥ）によるワイヤレス通信のための方法であって、
システム帯域幅から区分される複数の狭帯域領域を決定することと、前記複数の狭帯域領域が、基地局（ＢＳ）と通信するための１つまたは複数のダウンリンク（ＤＬ）狭帯域領域と１つまたは複数のアップリンク（ＵＬ）狭帯域領域とを備える、
前記１つまたは複数のＵＬ狭帯域領域のうちの少なくとも１つ内で、サウンディング基準信号（ＳＲＳ）の送信のためのリソースを決定することと、
前記狭帯域領域を使用して前記ＢＳと通信することと、ここにおいて、前記通信することが、前記決定されたリソース上で前記ＳＲＳを送信することを備える、
を備える、方法。
[Ｃ１１]  ＵＬ狭帯域領域内の、前記ＵＥによるＳＲＳの送信のためのリソースのロケーションが、システム帯域幅内の前記ＵＬ狭帯域領域のロケーションに基づく、Ｃ１０に記載の方法。
[Ｃ１２]  前記ＵＬ狭帯域領域内のリソースの前記ロケーションがセル固有ＳＲＳ帯域幅にも基づく、Ｃ１１に記載の方法。
[Ｃ１３]  ＳＲＳの送信のためのリソースの前記決定が、
１つまたは複数のＵＬ狭帯域領域の第１のセットについてＳＲＳの送信のためのリソースの第１のロケーションを決定することと、
１つまたは複数のＵＬ狭帯域領域の第２のセットについてＳＲＳの送信のためのリソースの第２のロケーションを決定することと
を備える、Ｃ１１に記載の方法。
[Ｃ１４]  ＳＲＳの送信のためのリソースの前記決定が、前記ＵＬ狭帯域領域のうちの１つまたは複数中でＳＲＳの送信のためのリソースなしと決定することを備える、Ｃ１１に記載の方法。
[Ｃ１５]  基地局（ＢＳ）によるワイヤレス通信のための方法であって、
ダウンリンク（ＤＬ）システム帯域幅から区分されるＤＬ狭帯域領域のセットを決定することと、
アップリンク（ＵＬ）システム帯域幅から区分されるＵＬ狭帯域領域のセットを決定することと、
ＤＬ狭帯域領域の前記セットとＵＬ狭帯域領域の前記セットとの間のマッピングを決定することと、
前記マッピング中に含まれる前記ＤＬ狭帯域領域または前記ＵＬ狭帯域領域のうちの少なくとも１つを使用して少なくともユーザ機器（ＵＥ）と通信することと
を備える、方法。
[Ｃ１６]  ＤＬ狭帯域領域の前記セットとＵＬ狭帯域領域の前記セットとが、前記ＤＬシステム帯域幅および前記ＵＬシステム帯域幅の最小値に少なくとも部分的に基づいて区分される、Ｃ１５に記載の方法。
[Ｃ１７]  前記ＤＬシステム帯域幅が前記ＵＬシステム帯域幅とは異なる、Ｃ１５に記載の方法。
[Ｃ１８]  ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数とは異なる、Ｃ１７に記載の方法。
[Ｃ１９]  ＤＬ狭帯域領域の前記決定されたセットが第１の数のＤＬ狭帯域領域を備え、ＵＬ狭帯域領域の前記決定されたセットが第２の数のＵＬ狭帯域領域を備え、ここにおいて、前記第１の数が前記第２の数と同じである、Ｃ１７に記載の方法。
[Ｃ２０]  前記マッピングが、
複数のＤＬ狭帯域領域への少なくとも１つの単一のＵＬ狭帯域領域のマッピング、または
複数のＵＬ狭帯域領域への少なくとも１つの単一のＤＬ狭帯域領域のマッピング
のうちの少なくとも１つを備える、Ｃ１５に記載の方法。
[Ｃ２１]  前記マッピングが複数のＵＥに共通であり、
前記方法が、ブロードキャストメッセージまたは各ＵＥに専用のメッセージのうちの１つ中で前記マッピングの指示を与えることをさらに備える、
Ｃ２０に記載の方法。
[Ｃ２２]  前記マッピングがＵＥ固有であり、
前記方法が、前記ＵＥへのメッセージ中で前記マッピングの指示を与えることをさらに備える、
Ｃ１５に記載の方法。
[Ｃ２３]  前記ＤＬ狭帯域領域のための第１の周波数ホッピングパターンを決定することと、
前記ＵＬ狭帯域領域のための第２の周波数ホッピングパターンを決定することと
をさらに備える、Ｃ１５に記載の方法。
[Ｃ２４]  基地局（ＢＳ）によるワイヤレス通信のための方法であって、
システム帯域幅から区分される複数の狭帯域領域を決定することと、前記複数の狭帯域領域が、ユーザ機器（ＵＥ）と通信するための１つまたは複数のダウンリンク（ＤＬ）狭帯域領域と１つまたは複数のアップリンク（ＵＬ）狭帯域領域とを備える、
前記１つまたは複数のＵＬ狭帯域領域のうちの少なくとも１つ内で、前記ＵＥによるサウンディング基準信号（ＳＲＳ）の送信のためのリソースを決定することと、
前記狭帯域領域を使用して前記ＵＥと通信することと、ここにおいて、前記通信することが、前記決定されたリソース上でＳＲＳを受信することを備える、
を備える、方法。
[Ｃ２５]  ＵＬ狭帯域領域内の、前記ＵＥによるＳＲＳの送信のためのリソースのロケーションが、システム帯域幅内の前記１つまたは複数のＵＬ狭帯域領域のロケーションに基づく、Ｃ２４に記載の方法。
[Ｃ２６]  前記１つまたは複数のＵＬ狭帯域領域内のリソースの前記ロケーションがセル固有ＳＲＳ帯域幅にも基づく、Ｃ２５に記載の方法。
[Ｃ２７]  ＳＲＳの送信のためのリソースの前記決定が、
１つまたは複数のＵＬ狭帯域領域の第１のセットについてＳＲＳの送信のためのリソースの第１のロケーションを決定することと、
１つまたは複数のＵＬ狭帯域領域の第２のセットについてＳＲＳの送信のためのリソースの第２のロケーションを決定することと
を備える、Ｃ２５に記載の方法。
[Ｃ２８]  ＳＲＳの送信のためのリソースの前記決定が、前記ＵＬ狭帯域領域のうちの１つまたは複数中でＳＲＳの送信のためのリソースなしと決定することを備える、Ｃ２５に記載の方法。